(57)【特許請求の範囲】
【請求項１】
少なくとも一側面に長手方向へ向けて取付溝が形成される支柱と、該取付溝に係合する係合具と、該係合具を介して支柱間を接続する繋ぎ材と、該支柱と該繋ぎ材とで区画される面域に取り付けられる外壁パネルと、該支柱の取付溝に取り付けられる棚部材と、該棚部材に物品を移載する移載装置と、を備えた自動倉庫において、
前記取付溝が形成された側面と直交する支柱の外側面に、長手方向へ向けて突設された、一対の係合片と、
前記繋ぎ材の上面及び下面の長手方向へ向けて形成された挿入溝と、
前記繋ぎ材の挿入溝に挿入される、可撓性を有する外壁パネルと、
前記支柱の外側面の一対の係合片に係合させる１組の押え部材と、
該１組の押え部材の間に係合させる、弾性を有する溝係合部材と、
で外壁パネルの取付手段を構成したことを特徴とする自動倉庫。
【請求項２】
前記係合具に取付孔を穿孔して、少なくとも一側面側の取付孔の縁部をテーパ状に面取りし、また、前記繋ぎ材の長手方向の側端部には、前記係合具を挿入するための挿入部と、固定孔を有した被締結具を挿入するための収納部とを設けるとともに、該繋ぎ材の上面から該収納部へ挿入孔を穿孔し、
前記取付孔を有した係合具と、
前記固定孔を有した被締結具と、
前記挿入部と、収納部と、挿入孔とを設けた繋ぎ材と、
前記繋ぎ材の挿入孔に挿入され、前記係合具の取付孔と、前記被締結具の固定孔とに締結される締結具と、
で繋ぎ材を支柱に取り付ける取付手段を構成したことを特徴とする請求項１に記載の自動倉庫。
【請求項３】
請求項１又は請求項２に記載の自動倉庫において、前記支柱間を前記繋ぎ材を介して連結し、前記外壁パネルを撓ませながら該外壁パネルの上下端を前記繋ぎ材の挿入溝に挿入し、前記支柱の外側面の一対の係合片にそれぞれ押え部材を係合させて、該押え部材で該外壁パネルの側部を押え、該一対の係合片に係合する１組の押え部材の間に前記溝係合部材を係合させて、該溝係合部材で両側方の押え部材を外方向へ付勢し、前記支柱と前記繋ぎ材とで区画される面域に外壁パネルを取り付けることを特徴とする自動倉庫の外壁の取付方法。
【請求項４】
請求項２に記載の自動倉庫において、前記支柱の取付溝に前記係合具を係合させて、前記取付孔の縁部を面取りした側面を、前記締結具の挿入方向に向け、そして、前記被締結具を前記繋ぎ材の収納部に収納して、該係合具を前記繋ぎ材の挿入部に挿入し、該被締結具の固定孔と、該係合具の取付孔と、該繋ぎ材の挿入孔とを一直線上に一致させて、該挿入孔から前記締結具を挿入し、該締結具を該係合具と該被締結具とに締結して、前記繋ぎ材を前記支柱に取り付けることを特徴とする自動倉庫の外壁の取付方法。
【発明の詳細な説明】
【０００１】
【発明の属する技術分野】
本発明はクリーンルーム等で使用される自動倉庫の外壁の取付方法に関する。
【０００２】
【従来の技術】
従来より、物品を搬送するためのスタッカクレーンを備えた自動倉庫が知られている。この自動倉庫には、物品を収納するための収納棚を水平方向及び垂直方向に備えたラックが一対設けられ、その間にレールが敷設され、レール上をスタッカクレーンが走行するように構成されている。スタッカクレーンは、レールに沿って走行する搬送台車を有し、搬送台車にはマストが立設されており、さらに、マストに沿って昇降する昇降台が設けられている。そして、昇降台には、水平方向に伸縮自在な移載装置が設けられ、該移載装置により物品が収納棚に載置される。
【０００３】
【発明が解決しようとする課題】
前記自動倉庫の外壁パネルは、支柱の外側にブラケットを介して、ボルトなどの固定具により取り付けられていた。このため、外壁パネルの取り付けには、かなりの時間を要し、作業効率があまり良くなかった。
そこで、本発明では、容易に外壁パネルを支柱に取り付けることができる自動倉庫を提供することを課題とする。
【０００４】
【課題を解決するための手段】
本発明の解決しようとする課題は以上の如くであり、次に該課題を解決するための手段を説明する。
まず、請求項１に記載のように、少なくとも一側面に長手方向へ向けて取付溝が形成される支柱と、該取付溝に係合する係合具と、該係合具を介して支柱間を接続する繋ぎ材と、該支柱と該繋ぎ材とで区画される面域に取り付けられる外壁パネルと、該支柱の取付溝に取り付けられる棚部材と、該棚部材に物品を移載する移載装置と、を備えた自動倉庫において、
前記取付溝が形成された側面と直交する支柱の外側面に、長手方向へ向けて突設された一対の係合片と、前記繋ぎ材の上面及び下面の長手方向へ向けて形成された挿入溝と、前記繋ぎ材の挿入溝に挿入される可撓性を有する外壁パネルと、前記支柱の外側面の一対の係合片に係合させる１組の押え部材と、該１組の押え部材の間に係合させる、弾性を有する溝係合部材と、で外壁パネルの取付手段を構成した
【０００５】
そして、請求項２に記載のように、前記係合具に取付孔を穿孔して、少なくとも一側面側の取付孔の縁部をテーパ状に面取りし、また、前記繋ぎ材の長手方向の側端部には、前記係合具を挿入するための挿入部と、固定孔を有した被締結具を挿入するための収納部とを設けるとともに、該繋ぎ材の上面から該収納部へ挿入孔を穿孔し、前記取付孔を有した係合具と、前記固定孔を有した被締結具と、前記挿入部と収納部と挿入孔とを設けた繋ぎ材と、前記繋ぎ材の挿入孔に挿入され、前記係合具の取付孔と、前記被締結具の固定孔とに締結される締結具と、で繋ぎ材を支柱に取り付ける取付手段を構成した。
【０００６】
また、請求項３に記載のように、請求項１又は請求項２に記載の自動倉庫において、前記支柱間を前記繋ぎ材を介して連結し、前記外壁パネルを撓ませながら該外壁パネルの上下端を前記繋ぎ材の挿入溝に挿入し、前記支柱の外側面の一対の係合片にそれぞれ押え部材を係合させて、該押え部材で該外壁パネルの側部を押え、該一対の係合片に係合する１組の押え部材の間に前記溝係合部材を係合させて、該溝係合部材で両側方の押え部材を外方向へ付勢し、前記支柱と前記繋ぎ材とで区画される面域に外壁パネルを取り付ける。
【０００７】
そして、請求項４に記載のように、請求項２に記載の自動倉庫において、前記支柱の取付溝に前記係合具を係合させて、前記取付孔の縁部を面取りした側面を、前記締結具の挿入方向に向け、そして、前記被締結具を前記繋ぎ材の収納部に収納して、該係合具を前記繋ぎ材の挿入部に挿入し、該被締結具の固定孔と、該係合具の取付孔と、該繋ぎ材の挿入孔とを一直線上に一致させて、該挿入孔から前記締結具を挿入し、該締結具を該係合具と該被締結具とに締結して、前記繋ぎ材を前記支柱に取り付ける。
【０００８】
【発明の実施の形態】
これより、本発明の実施の一形態を、図面を参照しながら説明する。
図１は自動倉庫１の斜視図、図２は同じく側面断面図、図３は同じく平面断面図、図４の（ａ）は側壁ユニット２４を立設する様子を示す正面図、図４の（ｂ）は立設された側壁ユニット２４と支柱体２１とを連結する様子を示す正面図、図５は支柱体２１・２１間を連結する様子を示す斜視図、図６は支柱体２１に繋ぎ材２２を取り付ける様子を示す斜視図、図７は支柱体２１の取付溝２１ａに係合する係合具１１の様子を示す斜視図、図８は支柱体２１の平面図、図９は支柱体２１の取付溝２１ａに係合する係合具１１の様子を示す平面図、図１０は繋ぎ材２２にナットプレート１２を挿入する様子を示す斜視図、図１１は支柱体２１と繋ぎ材２２とを締結する様子を示す正面断面図、図１２は支柱体２１の下端を床面に位置固定する様子を示す正面断面図、図１３は支柱体２１に外壁パネル２３を取り付ける様子を示す平面図であり、（ａ）は取付前、（ｂ）は取付途中、（ｃ）は取付後である。
以下の説明では便宜上、図１及び図２に示す矢印Ｆの方向を自動倉庫１の前方として、各構造体の前後・左右位置を説明するものとする。他の図面におけるその各構造体の前後・左右位置についても、これに倣うものとする。
【０００９】
まず、自動倉庫１について図１乃至図３を参照しながら説明する。
自動倉庫１には、多数の収納棚２５・２５・・・を有する前後一対の収納部２０・２０と、物品搬送装置３とが備えられている。
収納部２０・２０はそれぞれ、左右方向および上下方向に配列された多数の収納棚２５・２５・・・を備えている。この一対の収納部２０・２０は、キャビネット２内部に、後述する搬送台車３０のレール３８を挟んで対向配置される。各収納部２０の下部に設けられる水平板２９の下方には、粉塵吸込み用のファン９が設けられている。
【００１０】
この物品搬送装置３は、搬送体たる昇降台３４と、昇降台３４上の移載装置４とを備えている。該物品搬送装置３は、キャビネット２に備える受渡し口（図示せず）から移載装置４を用いて物品８を昇降台３４上に受け取った上で、空いている前記収納棚２５へ向けて昇降台３４を走行させ、移載装置４を用いて該収納棚２５へ物品を受け渡す。あるいは、収納棚２５に既に収納されている物品８を移載装置４を用いて昇降台３４上に受け取り、前記受渡し口へ向けて昇降台３４を走行させ、移載装置４を用いて該受渡し口へ物品８を受け渡す。
【００１１】
収納部２０・２０間にはレール３８・３８からなる軌道が敷設され、該レール３８・３８上に搬送台車３０が配置されている。搬送台車３０には走行車輪３１・３１・・・が設けられ、これらの走行車輪３１は前記レール３８・３８上に配置される。
以上の構成により搬送台車３０は、レール３８・３８により支持されながら該レール３８・３８に沿って走行可能とされる。
【００１２】
搬送台車３０上にはターンテーブル３５を介してマスト３６が立設され、ターンテーブル３５とともにマスト３６が回転駆動できるように構成している。前記昇降台３４はこのマスト３６に上下昇降駆動可能に取り付けられるものであり、昇降台３４上に物品８の移載装置４が備えられている。
【００１３】
前記移載装置４は伸縮自在のロボットハンドに構成されて、その先端部にフォーク４１を設け、該フォーク４１は、物品８を下方よりすくい上げることで物品８を支持するようにしている。フォーク４１の上面には突起が上方に突出される一方、物品８の底面には前記突起を挿入可能とする穴部が形成されて、この突起と穴部との係合によってフォーク４１上から物品８が落ちないように保持できるようにしている。この物品８を保持したフォーク４１は、収納棚２５を構成する左右一対の棚部材２５Ｌ・２５Ｒの間に挿入され、該物品８は該棚部材２５Ｌ・２５Ｒ上に載置される。
【００１４】
この棚部材２５Ｌ（又は２５Ｒ）は、板状の部材の曲げ加工により成形され、先端部２５ｂは斜上方へ屈曲され、一側部２５ｃは下方へ垂直に折り曲げられて、該側部２５ｃが支柱体２１に取り付けられる。また、該棚部材２５Ｌ・２５Ｒの上面には位置決めピン１４・１４が凸設され、一方、収納棚２５に載置された物品８の底面には、フォーク４１の挿入方向に対する手前側両側部と、奥側中央部とで、正三角形の３頂点を形成するように３箇所に溝部が設けられており、該手前側両側部の溝部を、前記棚部材２５Ｌ・２５Ｒの上面の位置決めピン１４・１４に係合させて、物品８が収納棚２５に載置されている。また、このとき前記棚部材２５Ｌ・２５Ｒの先端部２５ｂ・２５ｂが物品８の手前側の端部に当接するように載置され、該棚部材２５Ｌ・２５Ｒの先端部２５ｂ・２５ｂにより物品８の回転が規制されている。
【００１５】
このように、前記各棚部材２５Ｌ・２５Ｒに設けられた位置決めピン１４・１４と、屈曲された先端部２５ｂ・２５ｂとで物品８の位置決めがなされ、本構成では、前記物品８の底面の奥側中央部に設けられた溝部と係合させるための位置決めピンが必要なく、部品点数を削減することができる。
また、本構成では、フォーク４１により物品８の底面の溝部を、棚部材２５Ｌ・２５Ｒ上の２箇所の位置決めピン１４・１４に挿入すればよいので、３箇所の位置決めピンに挿入するときよりも挿入作業が容易で、挿入ミスが減って、信頼性が向上する。
【００１６】
前記自動倉庫１が設置されるクリーンルームでは、無塵化を徹底するために、非接触給電方法が採用されている。収納部２０の下方の少なくとも何れか一方の水平板２９から給電線ホルダ５０が垂設され、その先端部に一対の給電線５１・５１が保持されている。この給電線５１・５１はレール３８・３８に沿って配置され、また、搬送台車３０には、該給電線５１・５１に発生する磁界から電流を得る受電装置５が配設されている。
【００１７】
受電装置５は、「Ｅ」字形状のコア５２を備え、該コア５２内部に前記一対の給電線５１・５１が挿入され、非接触の状態で配置されている。該コア５２にはピックアップコイル５３が巻回されており、給電線２に発生する磁界から電磁誘導により、該ピックアップコイル５３に誘導起電流が発生するのを利用して、受電装置５で電流を得るようにしている。
以上のようにして、受電装置５で取り出された電力を利用して、物品搬送装置３が備える搬送台車３０の駆動源や、昇降台３４の駆動源等が駆動される。
【００１８】
次に、本発明に係るキャビネット２の組付方法について説明する。
キャビネット２は、支柱体２１・２１・・・と、側壁ユニット２４と、該支柱体２１・２１間、及び該支柱体２１と該側壁ユニット２４とを接続する繋ぎ材２２・２２・・・とで枠組みが形成され、該支柱体２１・２１と該繋ぎ材２２・２２とで画設される面域に薄板状の外壁パネル２３が取り付けられている。前記棚部材２５Ｌ・２５Ｒは、図４に示すように、支柱体２１の左右両側部と、側壁ユニット２４の内側部とに、高さ方向に所定間隔を開けて取り付けられている。
【００１９】
図５乃至図８に示すように、支柱体２１は、アルミ等の押出成形により、棚部材２５Ｌ・２５Ｒ等が取り付けられる支柱基部２１Ｂ・２１Ｂと、その間に設けられた円筒体２１Ａとが一体的に成形されている。各支柱基部２１Ｂ・２１Ｂの両側面と、該両側面と直交する一方の支柱基部２１Ｂの外側面との５箇所に、断面視、「Ｔ」字型の取付溝２１ａ・２１ａ・２１ａ・２１ａ・２１ｂが形成され、他方の支柱基部２１Ｂの外側面には左右一対の係合片２１ｃ・２１ｃが凸設されている。該係合片２１ｃ・２１ｃの先端が互いに向き合うように折り曲げられ、この間に略「Ｔ」字型の係合溝２１ｄが形成されている。該取付溝２１ａ・２１ｂ及び係合溝２１ｃは支柱体２１の長手方向に沿って形成され、該取付溝２１ａ・２１ｂに係合具１１を係合させ、詳細は後述するが、該係合具１１を介して繋ぎ材２２を組み付けるようにしている。
【００２０】
また、前記取付溝２１ａの所定位置にナットプレートを係合させ、該ナットプレートの側方に前記棚部材２５Ｌ（又は２５Ｒ）の側部２５ｃに設けられた固定孔を配置して、該固定孔の外側方から固定ボルト１５を挿入し、該固定ボルト１５と、前記ナットプレートとを締結する。このように固定ボルト１５・１５とナットプレートとを介して、棚部材２５Ｌ（又は２５Ｒ）の側部２５ｃが、支柱体２１の一側面側の２つの取付溝２１ａ・２１ａに取り付けられる（図２参照）。こうして、支柱体２１の両側部に、所定間隔を開けて、多数の棚部材２５Ｌ・２５Ｒ・・・を取り付け、予めユニット化しておく。
【００２１】
なお、従来は、前後に並べられた一対の支柱に、上下方向に向け、多数の棚部材を架設して支柱ユニットを構成していたが、本実施例では、該一対の支柱の内、収納される物品８の出し入れ方向手前側に配置される一方の支柱を、出し入れ方向奥側の他方の支柱側に寄せて配置するとともに、両支柱を一体的に成形して支柱体２１を構成し、該支柱体２１に上下方向に向けて、多数の棚部材２５Ｌ・２５Ｒ・・・を取り付けて支柱ユニットを構成している。
物品８には両側面から把手部８ａ・８ａが突出するものもあり、本構成では、図３に示すように、把手部８ａ・８ａを有する物品８を収納する際、該把手部８ａ・８ａと該支柱体２１・２１とは干渉しない。このように支柱体２１・２１の左右間隔を拡幅することなく、物品８の収納効率の向上が図られている。
また、本構成の支柱ユニットは、多数の「凹」字状の収納棚が支柱から突出する従来の支柱ユニットに比べて搬送しやすく、搬送効率の向上が図られている。さらに、本構成の支柱ユニットは、キャビネット２の設置予定地の外縁部分に立設されるため作業がしやすく、また、隣り合う支柱体２１・２１を繋ぎ材２２を介して容易に組み付けることができ、作業性の向上が図られている。
【００２２】
図９に示すように、前記係合具１１は、平面視、略「面」字のような形状で、方形状の本体１１ａから「Ｔ」字状の係合部１１ｂが突設され、該本体１１ａの中央に取付孔１１ｃが形成されている。該本体１１ａの一側面における取付孔１１ｃの縁部１１ｄはテーパ状に面取りが施されており、該一側面を上面にして、上方から固定ボルト１３を挿入しやすいようにしている。
【００２３】
図６、図１０及び図１１に示すように、前記繋ぎ材２２は、アルミ等の押出成形により、長手方向に中空部を有する形状に形成されている。該繋ぎ材２２の上下面は、一対の垂直面２２ｂ・２２ｂとにより連結され、該垂直面２２ｂ・２２ｂは該補強体２２ａにより連結されている。
そして、該垂直面２２ｂ・２２ｂと補強体２２ａの水平面２２ｃとで略「Ｈ」字状を形成し、該垂直面２２ｂ・２２ｂの下部には外方向へ突出する段部２２ｄ・２２ｄが形成されている。また、繋ぎ材２２の長手方向両側部には上方から中繰加工が施されて、該繋ぎ材２２の上面と、その直下方の水平面２２ｃとに挿入孔２２ｅ・２２ｆが形成されている。
【００２４】
さらに、繋ぎ材２２の上下面には長手方向に挿入溝２２ｇ・２２ｇが形成されている。この挿入溝２２ｇ・２２ｇは繋ぎ材２２の短手方向における一側端部に配置され、前記挿入孔２２ｅ・２２ｆは中央部からやや他側部寄りに配置されている。
【００２５】
次にこれらの部材の組付方法について説明する。
まず、図４（ａ）に示すように、キャビネット２の設置予定地に側壁ユニット２４を立設してフットアジャスタ６で床面に位置固定する。次に、図４（ｂ）に示すように、該側壁ユニット２４の側方に、棚部材２５Ｌ・２５Ｒ・・・を取り付けた支柱体２１を立設する。図５に示すように、この支柱体２１の下端部には、内方向へ向けて支持部材２６が取り付けられており、該支持部材２６の底面と、該支柱体２１の底面とにフットアジャスタ６・６が取り付けられる。
【００２６】
そして、床面に固定せずに立設される支柱体２１に繋ぎ材２２・２２・・・を取り付けていく。
この繋ぎ材２２の取り付け方であるが、図６、図７及び図９に示すように、まず、前記係合具１１を縦向きにして支柱体２１の取付溝２１ａに挿入した後、該係合具１１を９０°捻って横向きにし、取付孔１１ｃの縁部１１ｄを面取りした面を上に向けて、係合具１１の係合部１１ｂと取付溝２１ａとを係合させる。
【００２７】
次に、図１０及び図１１に示すように、被締結具たるナットプレート１２の両側部を、繋ぎ材２２の一側方から、補強体２２ａの段部２２ｄ・２２ｄに係合させて奥へ押し込み、この段部２２ｄ・２２ｄの間に収納されたナットプレート１２と該補強体２２ａの水平面２２ｃとの間に形成される挿入スペースに、前記係合具１１の本体１１ａを挿入する。
【００２８】
そして、このナットプレート１２の中央に形成される固定孔１２ｃと、係合具１１の取付孔１１ｃと、繋ぎ材２２の上面と水平面とに形成される挿入孔２２ｅ・２２ｆとの位置を、略一直線上に一致させて、締結具たる固定ボルト１３を該挿入孔２２ｅ・２２ｆから挿入し、該固定ボルト１３の下端部を該係合具１１の取付孔１１ｃと該ナットプレート１２の固定孔１２ｃとに連結する。より詳しく説明すると、係合具１１の取付孔１１は、挿入孔２２ｅ・２２ｆよりも若干支柱体２１側に位置するようになっている。この状態で、固定ボルト１３をナットプレート１２の固定孔１２ｃに螺合させると、取付孔１１ｃの縁部１１ｄに案内されて、係合具１１は支柱体２１と反対側に移動する。つまり、係合具１１の係合部１１ｂが支柱体２１の取付溝２１ａを引っ張った状態となり、支柱体２１に係合具１１が固定されるとともに、支柱体２１に繋ぎ材２２が固定される。
【００２９】
同様に、繋ぎ材２２の他側部は、側壁ユニット２４に形成された取付溝を介して取り付ける。こうして支柱体２１と側壁ユニット２４との上下方向に所定間隔を開けて繋ぎ材２２・２２・・・を介設し、該支柱体２１と該側壁ユニット２４とを連結した後、該支柱体２１の底面と、前記支持部材２６の底面とに取り付けたフットアジャスタ６・６を床面に固定する。
【００３０】
前記支柱体２１の円筒体２１Ａの挿入孔２１ｅはフットアジャスタ６のアジャスタボルト６１を挿入するために成形されている。即ち、図１２に示すように、ナット部材が嵌装固定される挿入孔２１ｅにアジャスタボルト６１を挿入固定し、コンクリートの床面に予め埋め込まれている固定ボルト６３を介してアジャスタボルト脚止金具６２を床面に固定し、支柱体２１を位置固定している。
なお、本実施の形態の自動倉庫１は、コンクリートの床面上に施工されているが、開孔が多数設けられたグレーチングなどの床面に施工してもよく、その場合、固定ボルト６３はグレーチングに固着される。
【００３１】
また同様に、前記の支柱体２１の側方に、繋ぎ材２２・２２・・・を介して、新たな支柱体２１を取り付けて床面に位置固定し、図５に示すように、支柱体２１・２１・・・を次々と並設していき、最外側方の支柱体２１の側方に側壁ユニット２４を取り付けて、キャビネット２の枠組みを構成する。
【００３２】
次に、図１に示すように、前記支柱体２１・２１と前記繋ぎ材２２・２２とで区画される面域に、可撓性を有する前記薄板状の外壁パネル２３を嵌め込み、押え部材１８・１８と溝係合部材１９とを介して取り付けていく。
【００３３】
前記押え部材１８と、溝係合部材１９とは外壁パネル２３の一片と略同長さの部材で、平面視は、図１３（ａ）に示すように形成される。押え部材１８は略「Ｆ」字を寝かせた形状で、前記支柱体２１の外側面の係合片２１ｃと係合する係合部１８ａと、該係合部１８ａと平行に突出する押止部１８ｂと、該係合部１８ａと直交する方向に突出する被係止部１８ｃとを有し、該係合部１８ａの先端は該押止部１８ｂ方向に折り曲げられ鉤状に形成されている。溝係合部材１９は、左右に係止部１９ａ・１９ａを有しており、略「コ」字を寝かせた形状に形成され、弾性変形可能に構成されている。
【００３４】
次に、これら押え部材１８・１８と、溝係合部材１９とを用いての、外壁パネル２３の取付方法を説明する。
まず、外壁パネル２３の下端を、下側の繋ぎ材２２の上面に形成される挿入溝２２ｇ（図１０参照）に挿入し、該外壁パネル２３を撓ませながらその上端を、上側の繋ぎ材２２の挿入溝２２ｇに挿入する。
【００３５】
そして、図１３（ｂ）に示すように、前記支柱体２１の外側面の一対の係合片２１ｃ・２１ｃにそれぞれ押え部材１８・１８の係合部１８ａ・１８ａを係合させて、一方の押え部材１８の押止部１８ｂにより本面域の外壁パネル２３の側端部を押え、他方の押え部材１８の押止部１８ｂにより隣の面域の外壁パネル２３の側端部を押えるように構成している。
なお、前記押え部材１８の押止部１８ｂと外壁パネル２３の側端部との間にスペーサを介設し、該スペーサを介して外壁パネル２３を固定してもよい。
【００３６】
そして、図１３（ｃ）に示すように、該一対の係合片２１ｃ・２１ｃに係合する押え部材１８・１８の被係止部１８ｃ・１８ｃの間に、溝係合部材１９を挿入し、係合させる。
この場合、押え部材１８・１８間の寸法よりも、溝係合部材１９の幅寸法の方が若干大きく形成されているため、被係止部１８ｃ・１８ｃ間に挿入された溝係合部材１９は弾性変形して、該被係止部１８ｃ・１８ｃを左右外側方向へ付勢することとなる。また、係止部１９ａ・１９ａは、先端側の間隔が根元側の間隔よりも小さく形成されているので、被係止部１８ｃ・１８ｃ間に挿入する際に、挿入しやすくなっている。
【００３７】
両者が係合した後は、前述のように、弾性を有する溝係合部材１９は両側方の押え部材１８・１８を外方向へ付勢するため、押え部材１８・１８は係合片２１ｃ・２１ｃから容易に外れない。
このようにして支柱体２１・２１と繋ぎ材２２・２２とで区画される面域に、特別な工具を使うことなく、簡単に外壁パネル２３をしっかりと取り付けることができる。
【００３８】
一方、外壁パネル２３を取り外すときには、押え部材１８・１８の間に係合する溝係合部材１９の上端、又は下端を指で引っ掛けて取り外せば、該押え部材１８・１８は容易に外れ、そして、該外壁パネル２３の両側部を持って、その上下端を上下の繋ぎ材２２の挿入溝２２ｇ・２２ｇから抜き出してやればよい。このように取り外しも簡単に行うことができ、移載装置４が故障したときなど、作業者が該外壁パネル２３を取り外して、自動倉庫１の外側から、収納棚２５上の物品８を直接取り出すことができる。また、必要に応じて、作業者は、自動倉庫１内に進入することができるため、自動倉庫１内のメンテナンス、例えば、スタッカークレーンのメンテナンスを行うことができる。
【００３９】
【発明の効果】
本発明は、以上のように構成したので、以下のような効果を奏する。
まず、請求項１のように、少なくとも一側面に長手方向へ向けて取付溝が形成される支柱と、該取付溝に係合する係合具と、該係合具を介して支柱間を接続する繋ぎ材と、該支柱と該繋ぎ材とで区画される面域に取り付けられる外壁パネルと、該支柱の取付溝に取り付けられる棚部材と、該棚部材に物品を移載する移載装置と、を備えた自動倉庫において、前記取付溝が形成された側面と直交する支柱の外側面に、長手方向へ向けて突設された、一対の係合片と、前記繋ぎ材の上面及び下面の長手方向へ向けて形成された挿入溝と、前記繋ぎ材の挿入溝に挿入される、可撓性を有する外壁パネルと、前記支柱の外側面の一対の係合片に係合させる１組の押え部材と、該１組の押え部材の間に係合させる、弾性を有する溝係合部材と、で外壁パネルの取付手段を構成したことで、
記支柱間を前記繋ぎ材を介して連結し、前記外壁を撓ませながら該外壁の上下端を前記繋ぎ材の挿入溝に挿入し、前記支柱の外側面の一対の係合片にそれぞれ押え部材を係合させて、一方の押え部材で該外壁の側部を押え、該一対の係合片に係合する２つの押え部材の間に前記溝係合部材を係合させ、該溝係合部材で両側方の押え部材を外方向へ付勢して、前記支柱と前記繋ぎ材とで区画される面域に、外壁を特別な工具を使うことなく容易に取り付けることができ、作業性が向上する。
また、前記外壁は容易に取り外すことができ、前記移載装置が故障したときなど、作業者が該外壁を取り外して、自動倉庫の外側から、棚部材上の物品を直接取り出すことができて、メンテナンス性の向上も図られている。
【００４０】
そして、請求項２のように、前記係合具に取付孔を穿孔して、少なくとも一側面側の取付孔の縁部をテーパ状に面取りし、また、前記繋ぎ材の長手方向の側端部には、前記係合具を挿入するための挿入部と、固定孔を有した被締結具を挿入するための収納部とを設けるとともに、該繋ぎ材の上面から該収納部へ挿入孔を穿孔し、前記取付孔を有した係合具と、前記固定孔を有した被締結具と、前記挿入部と収納部と挿入孔とを設けた繋ぎ材と、前記繋ぎ材の挿入孔に挿入され、前記係合具の取付孔と、前記被締結具の固定孔とに締結される締結具と、で繋ぎ材を支柱に取り付ける取付手段を構成したことで、
立設された支柱の取付溝に前記係合具を係合させて、前記取付孔の縁部を面取りした側面を、前記締結具の挿入方向に向け、そして、前記被締結具を前記繋ぎ材の収納部に収納して、該係合具を前記繋ぎ材の挿入部に挿入し、該被締結具の固定孔と、該係合具の取付孔と、該繋ぎ材の挿入孔とを一直線上に一致させて、該挿入孔から前記締結具を挿入して、該締結具を該係合具と該被締結具とに締結し、前記支柱が立設された状態で前記繋ぎ材を取り付けることができ、作業性が向上する。
【００４１】
また、請求項３のように、請求項１又は請求項２に記載の自動倉庫において、前記支柱間を前記繋ぎ材を介して連結し、前記外壁パネルを撓ませながら該外壁パネルの上下端を前記繋ぎ材の挿入溝に挿入し、前記支柱の外側面の一対の係合片にそれぞれ押え部材を係合させて、該押え部材で該外壁パネルの側部を押え、該一対の係合片に係合する１組の押え部材の間に前記溝係合部材を係合させて、該溝係合部材で両側方の押え部材を外方向へ付勢し、前記支柱と前記繋ぎ材とで区画される面域に外壁パネルを取り付けることで、
特別な工具を使うことなく容易に外壁を取り付けることができ、作業性が向上する。
また、前記外壁は容易に取り外すことができ、前記移載装置が故障したときなど、該外壁を取り外して、自動倉庫内に進入し、棚部材上の物品を取り出すことができて、メンテナンス性の向上も図られている。
【００４２】
そして、請求項４のように、前記支柱の取付溝に前記係合具を係合させて、前記取付孔の縁部を面取りした側面を、前記締結具の挿入方向に向け、そして、前記被締結具を前記繋ぎ材の収納部に収納して、該係合具を前記繋ぎ材の挿入部に挿入し、該被締結具の固定孔と、該係合具の取付孔と、該繋ぎ材の挿入孔とを一直線上に一致させて、該挿入孔から前記締結具を挿入し、該締結具を該係合具と該被締結具とに締結して、前記繋ぎ材を前記支柱に取り付けることで、
該支柱が立設された状態で該繋ぎ材を取り付けることができ、作業性が向上する。
【図面の簡単な説明】
【図１】自動倉庫１の斜視図。
【図２】同じく側面断面図。
【図３】同じく平面断面図。
【図４】（ａ）は側壁ユニット２４を立設する様子を示す正面図。（ｂ）は立設された側壁ユニット２４と支柱体２１とを連結する様子を示す正面図。
【図５】支柱体２１・２１間を連結する様子を示す斜視図。
【図６】支柱体２１に繋ぎ材２２を取り付ける様子を示す斜視図。
【図７】支柱体２１の取付溝２１ａに係合する係合具１１の様子を示す斜視図。
【図８】支柱体２１の平面図。
【図９】支柱体２１の取付溝２１ａに係合する係合具１１の様子を示す平面図。
【図１０】繋ぎ材２２にナットプレート１２を挿入する様子を示す斜視図。
【図１１】支柱体２１と繋ぎ材２２とを締結する様子を示す正面断面図。
【図１２】支柱体２１の下端を床面に位置固定する様子を示す正面断面図。
【図１３】支柱体２１に外壁パネル２３を取り付ける様子を示す平面図。（ａ）は取付前。（ｂ）は取付途中。（ｃ）は取付後。
【符号の説明】
１    自動倉庫
２    キャビネット
８    物品
１１    係合具
１２    ナットプレート
１３    固定ボルト
１７    スペーサ
１８    押え部材
１８ａ  係合部
１８ｂ  押止部
１８ｃ  被係止部
１９    溝係合部材
１９ａ  係止部
２１    支柱体
２１Ａ  円筒体
２１Ｂ  支柱基部
２１ａ  取付溝
２１ｂ  取付溝
２１ｃ  係合片
２１ｅ  挿入孔
２２    繋ぎ材
２２ｄ  段部
２２ｅ  挿入孔
２２ｆ  挿入孔
２２ｇ  挿入溝
２３    外壁パネル
２５    収納棚
２５Ｌ  棚部材
２５Ｒ  棚部材
【図１】
0003613238.tif 000002
【図２】
0003613238.tif 000003
【図３】
0003613238.tif 000004
【図４】
0003613238.tif 000005
【図５】
0003613238.tif 000006
【図６】
0003613238.tif 000007
【図７】
0003613238.tif 000008
【図８】
0003613238.tif 000009
【図９】
0003613238.tif 000010
【図１０】
0003613238.tif 000011
【図１１】
0003613238.tif 000012
【図１２】
0003613238.tif 000013
【図１３】
0003613238.tif 000014